(57)【特許請求の範囲】
【請求項１】
ケース(1)と、スプール軸(2)と、スプール体(3)と、紙環(4)を包含し、
該ケース(1)は筒状で軸線(x)上の一端が開放し他端が端壁(5)で閉塞され、内壁面(6)から軸心に向けて突き出た受け座(7)を備え、該端壁(5)の中央に該スプール軸(2)の挿通孔(8)が、また該挿通孔(8)と同心の円周上に複数の通水孔(9)が開口し、
該スプール軸(2)は一端が駆動力の入力部(10)で他端が出力部(11)となっており、中間部外周面に係合溝(12)を備え、
該スプール体(3)は円盤部(13)と脚部(14)を備え、該円盤部(13)は、該ケース(1)に嵌合して該受け座(7)に支持され、外周に水路(15)が設けられ、中央に該スプール軸(2)の挿通孔(16)を備えており、該脚部(14)は該円盤部(13)から該挿通孔(16)に沿って延び、該挿通孔(16)側に該係合溝(12)と弾発的に係合する突起(17)を備え、
該紙環(4)は、該脚部(14)をめぐって該突起(17)の該係合溝(12)に対する係合に協働し、該スプール軸(2)をその蓄力に逆って拘束し、湿潤により該蓄力で破断して該スプール軸(2)を釈放する
ことを特徴とする高圧ガス容器の開封駆動部の抑止用スプール。
【請求項２】
該受け座(7)は該ケース(1)の大内径部(D)と小内径部(d)の境界にある段差である請求項１に記載の高圧ガス容器の開封駆動部の抑止用スプール。
【請求項３】
該係合溝(12)は、断面が台形状で、平行２辺のうちの該スプール軸(2)の中心側が短辺となり外端側が長辺を呈しており、該スプール軸(2)の周囲をめぐっている請求項１又は２に記載の高圧ガス容器の開封駆動部の抑止用スプール。
【請求項４】
該水路(15)は該円盤部(13)に、放射状に外端が開放して形成され、かつ軸線(x)と平行に該受け座(7)に対する被支持部(21)を残して貫通している請求項１、２又は３に記載の高圧ガス容器の開封駆動部の抑止用スプール。
【請求項５】
該突起(17)は該係合溝(12)の断面に合致する切頭円錐形状である請求項１、２、３又は４に記載の高圧ガス容器の開封駆動部の抑止用スプール。
【請求項６】
該ケース(1)の該通水孔(9)は、該ケース(1)が収容される器具(22)側の水浸入孔(23)と合致するように配設されている請求項１から５の一つの項に記載の高圧ガス容器の開封駆動部の抑止用スプール。
【請求項７】
該ケース(1)の外周面には該軸線(x)と平行に案内溝(24)が設けられ、該案内溝(24)を該器具(22)の収容部(25)の内壁面(26)にその軸線(x’)と平行に形成した案内突条(27)と係合させることにより、該通水孔(9)が該水浸入孔(23)と合致するようになっている請求項１から６の一つの項に記載の高圧ガス容器の開封駆動部の抑止用スプール。                                  
【発明の詳細な説明】
【技術分野】
【０００１】
本発明は高圧ガス容器の開封駆動部の抑止用スプールに関し、蓄勢状態で抑止されているスプール軸を所期の条件が整った時点で速やかに解放し、その畜力を開封動作に従事させるようにしたものである。
【背景技術】
【０００２】
紙の水脆性を利用した高圧ガス容器の開封駆動部の抑止用スプールに関しては、救命胴衣の分野で種々の技術が提案されている。例えば、本件出願人の一人が提案したものとして、特公平３−７７１１８号公報（特許文献１）がある。ここでは、第３欄４〜１２行に先行技術の欠点として次の趣旨の記載がある。即ち、紙テープを数層に卷回した束縛体は紙テープの各層間が密接して層間に隙間が形成されないので、水に触れた場合、外層から内層まで湿潤するのに時間を要し、緊急性が要求される救命胴衣などには採用できない、ということである。  
【０００３】
そこで、この発明は、複数の係止体を用意し、これらの係止体間に帯紙を巻きかけてこの部分で紙層間に隙間を形成し、この隙間のある場所で水に接触させるようにしている。
【０００４】
また、特開２００１−２１３３９１号公報（特許文献２）には、円周上で３分割したスプールユニット３１，３１及び３２を同心状に紙製の結束材３３で収束して結束スプール３５とし、中心軸の周囲にテーパソケット２７を形成し、この中心軸に駆動桿２９を挿通してその円錐面２８をこのテーパソケット２７と係合させ、発動スプリング３０の畜力によるこの駆動桿２９の移動を制止し、水没等により結束材３３が湿潤して結束強度を保てなくなった時点で蓄勢された駆動桿２９がこのスプールユニットの結束を解いて移動するようにしたものである。
【先行技術文献】
【特許文献】
【０００５】
【特許文献１】特公平３−７７１１８号公報
【特許文献２】特開２００１−２１３３９１号公報
【発明の概要】
【発明が解決しようとする課題】
【０００６】
特許文献１の特公平３−７７１１８号公報に示された発明は、複数の係止体間に帯紙を巻き掛けて帯紙間に隙間を用意するので、湿潤時の迅速な破断には効果的であるが、構造が複雑となり、巻きかけ作業にかなりの時間と熟練を要するという問題が生じている。
【０００７】
また、特許文献２の特開２００１−２１３３９１号公報に示された発明は、３分割したスプールユニットを結束材３３で結束して結束スプール３５としている。この場合、駆動桿２９の移動力に逆らうのは結束材３３の結束力だけなので紙帯の材質や巻数等の決定が厄介である。その上、図７で分かる通り、水脆性効果を発揮させるためには円周方向に隣り合うスプールユニット３１，３１間に結束材３３の渡河空間を形成せねばならず、構造が複雑で、組立てに時間がかかる。
【０００８】
本発明は、これらの課題を解決できる上、種々な用途に適用でき、実用上有利な高圧ガス容器の開封駆動部の抑止用スプールを提供することを目的とする。
【課題を解決するための手段】
【０００９】
(請求項１)本発明にかかる高圧ガス容器の開封駆動部の抑止用スプールは、ケースと、スプール軸と、スプール体と、紙環を包含している。該ケースは筒状で軸線上の一端が開放し他端が端壁で閉塞され、内壁面から軸心に向けて突き出た受け座を備え、該端壁の中央に該スプール軸の挿通孔が、また該挿通孔と同心の円周上に複数の通水孔が開口している。該スプール軸は一端が駆動力の入力部で他端が出力部となっており、中間部外周面に係合溝を備えている。該スプール体は円盤部と脚部を備え、該円盤部は、該ケースに嵌合して該受け座に支持され、外周に水路が設けられ、中央に該スプール軸の挿通孔を備えている。該脚部は該円盤部から該挿通孔に沿って延び、該挿通孔側に該係合溝と弾発的に係合する突起を備えている。そして、該紙環は、該脚部をめぐって該突起の該係合溝に対する係合に協働し、該スプール軸をその蓄力に逆って拘束し、湿潤により該畜力で破断して該スプール軸を釈放する。
【００１０】
スプール体は受け座により支持されるので安定する。また、スプール軸の係合溝とスプール体の脚部の突起の弾発的係合に加え、これらの脚部の外側に巻き掛けた紙環により、スプール軸を所定位置に確実に保持できる。そして、水路により通水孔を通してケース内への水の浸入を迅速化し、紙環の湿潤による破断の迅速化を果たせる。
【００１１】
（請求項２）該受け座は該ケースの大内径部と小内径部の境界にある段差であってもよい。
こうすると、段差の全周面で円盤部を支持するので、安定した支持ができる。
【００１２】
（請求項３）該係合溝は、断面が台形状で、平行２辺のうちの該スプール軸の中心側が短辺となり外端側が長辺を呈しており、該スプール軸の周囲をめぐっていてもよい。
こうすると、該スプール軸が突起から外れる際の抵抗を少なくし、スプール軸の移動に大きな力を必要としないようにする。
【００１３】
（請求項４）該水路は該円盤部に、放射状に外端が開放して形成され、かつ軸線と平行に該受け座に対する被支持部を残して貫通していてもよい。
こうすると、被支持部を残すことで円盤部の安定した支持を果たすと共に、ケースに入った水の逃げ空間を用意でき、紙環の湿潤・破断を効果的に行える。
【００１４】
（請求項５）該突起は該係合溝の断面に合致する切頭円錐形状であってもよい。    
こうすると、突起と係合溝が同形状なので安定した係合ができ、スプール軸の係止を確実にできる。
【００１５】
（請求項６）該ケースの該通水孔は、該ケースが収容される器具側の水浸入孔と合致するように配設されていてもよい。
こうすると、水の流路断面を同じにでき、流入量の安定化ができる。
【００１６】
（請求項７）該ケースの外周面には該軸線と平行に案内溝が設けられ、該案内溝を該器具の収容部の内壁面にその軸線と平行に形成した案内突条と係合させることにより、該通水孔が該水浸入孔と合致するようになっていてもよい。
こうすると、該通水孔と該水浸入孔を合致させることができ、水の流入抵抗を小さくして流入量の安定化を果たせる。
【発明の効果】
【００１７】
本発明にかかる高圧ガス容器の開封駆動部の抑止用スプールによれば、スプール体は受け座により支持されるので安定し、スプール軸の係合溝とスプール体の脚部の突起の弾発的係合に加えこれらの脚部の外側に巻き掛けた紙環によりスプール軸を所定位置に確実に保持でき、水路により通水孔を通してケース内へ水を迅速に浸入させることにより紙環の湿潤による破断の迅速化を果たせる。
【００１８】
請求項２によれば、段差の全周面で円盤部を支持するので、安定した支持ができる。
【００１９】
請求項３によれば、該スプール軸が突起から外れる際の抵抗を少なくし、スプール軸の移動に大きな力を必要としない。
【００２０】
請求項４によれば、被支持部を残すことで円盤部の安定した支持を果たすと共に、ケースに入った水の逃げ空間を用意でき、紙環の湿潤・破断を効果的に行える。
【００２１】
請求項５によれば、突起と係合溝が同形状なので安定した係合ができ、スプール軸の係止を確実にできる。
【００２２】
請求項６によれば、水の流路断面を同じにでき、流入量の安定化ができる。
【００２３】
請求項７によれば、該通水孔と該水浸入孔を合致させることができ、水の流入抵抗を小さくして流入量の安定化を果たせる。
【図面の簡単な説明】
【００２４】
【図１】本発明にかかる高圧ガス容器の開封駆動部の抑止用スプールの具体例を示す縦断斜面図である。
【図２】スプール軸２とスプール体３を取り出して示す斜面図である。
【図３】本発明に係る抑止用スプールを救命胴衣の膨張用装置に適用した状態の縦断斜面図である。
【図４】器具２２の収容部２５の一部縦断斜面図である。
【発明を実施するための形態】
【００２５】
（請求項１）本発明にかかる高圧ガス容器の開封駆動部の抑止用スプールは、ケース１と、スプール軸２と、スプール体３と、紙環４を包含している。
ケース１は筒状で軸線ｘ上の一端が開放し他端が端壁５で閉塞されている。このケース１はその内壁面６から軸心に向けて突き出た受け座７を備え、端壁５の中央にスプール軸２の挿通孔８が開口し、また挿通孔８と同心の円周上に複数の通水孔９が開口している。
スプール軸２は一端が駆動力の入力部１０で他端が出力部１１となっており、中間部外周面に係合溝１２を備えている。
スプール体３は円盤部１３と脚部１４を備える。この円盤部１３は、ケース１に嵌合して受け座７に支持され、外周に水路１５が設けられ、中央に該スプール軸２の挿通孔１６を備えている。脚部１４は円盤部１３から挿通孔１６に沿って延び、この挿通孔１６側に係合溝１２と弾発的に係合する突起１７を備えている。
紙環４は、脚部１４をめぐって突起１７を係合溝１２に対する係合に協働し、スプール軸２をその蓄力に逆って拘束し、湿潤によりこの畜力で破断してスプール軸２を釈放する。
【００２６】
スプール体３は受け座７により支持されるので安定した支持ができ、その軸線が傾いたりしないので紙環の破断によるスプール軸２の円滑な移動を保証できる。また、スプール軸２は、自身に設けられた係合溝１２とスプール体３の脚部１４の突起１７の弾発的な係合と紙環の協働で、自身に加わっている一方向への移動性向に関わらず所定位置に確実に保持される。そして、水路１５により通水孔９を通してケース１内への水の浸入を迅速化し、紙環４の湿潤による破断を迅速に行え、救命胴衣の場合のように緊急性が不可欠の用途に適合できる。
【００２７】
（請求項２）受け座７はケース１の大内径部Ｄと小内径部ｄの境界にある段差となっている。
この場合、段差の全周面で円盤部１３を安定して支持できる。
【００２８】
（請求項３）係合溝１２は、断面が台形状で、平行２辺のうちのスプール軸２の中心側が短辺となり外端側が長辺を呈しており、スプール軸２の周囲をめぐっている。
この場合、スプール軸２が突起１７から外れる際の抵抗を少なくし、スプール軸の移動に大きな力を必要としない。
【００２９】
（請求項４）水路１５は円盤部１３に、放射状に外端が開放して形成され、かつ軸線ｘと平行に受け座７に対する被支持部２１を残して貫通していてもよい。
この場合、被支持部２１を残すことで円盤部１３の安定した支持を果たすと共に、ケースに入った水の逃げ空間を用意でき、紙環の湿潤・破断を効果的に行える。
【００３０】
（請求項５）突起１７は係合溝１２の断面に合致する切頭円錐形状である。
この場合、突起１７と係合溝１２が同形状なので安定した係合ができ、スプール軸２の係止を確実にできる。
【００３１】
（請求項６）ケース１の通水孔９は、このケース１が収容される器具２２側の水浸入孔２３と合致するように配設されている。
この場合、水の流路断面を同じにでき、流入量の安定化を果たせる。
【００３２】
（請求項７）ケース１の外周面には軸線ｘと平行に案内溝２４が設けられ、この案内溝２４を器具２２の収容部２５の内壁面２６にその軸線ｘ’と平行に形成した案内突条２７と係合させることにより、通水孔９が水浸入孔２３と合致するようになっている。
この場合、通水孔９と水浸入孔２３を合致させることができ、水の流入抵抗を小さくして流入量の安定化を果たせる。
【００３３】
なお、図３で、器具２２は救命胴衣の膨張用ガス供給器を例示してあり、ボンベ３１はアダプター３２を介して器具２２の取付口３３に取り付けられる。水難等により水が器具２２に水浸入孔２３及び通水孔９を通って浸入すると紙環４は水を吸収して脆弱となり、スプール軸２に及ぼしているばね３４の畜力に逆らって脚部１４の突起１７を係合溝１２に押し付けている力を失う。そのため、スプール軸２は突起１７を係合溝１２から押し除け、出力部１１をケース１の挿通孔８及び器具２２の軸孔３５の外方へ移動する。この移動でレバー３６は揺動して他端部で撃針伝導軸３７を押し上げ、その先端に取り付けた穿針３８でボンベ３１の封板３９を突き破り、内部の高圧ガスを取り出して救命胴衣に送る。
【符号の説明】
【００３４】
１        ケース
ｘ        軸線
２        スプール軸
３        スプール体
４        紙環
５        端壁
６        内壁面
７        受け座
８        挿通孔
９        通水孔
１０      入力部
１１      出力部
１２      係合溝
１３      円盤部
１４      脚部
１５      水路
１６      挿通孔
１７      突起
２１      被支持部
２２      器具
２３      水浸入孔
２４      案内溝
２５      収容部
２６      内壁面
２７      案内突条
ｘ’      軸線
３１      ボンベ
３２      アダプター
３３      取付口
３４      ばね
３５      軸孔
３６      レバー
３７      撃針伝導軸
３８      穿針
３９      封板
【図１】
0005882778.tif 000002
【図２】
0005882778.tif 000003
【図３】
0005882778.tif 000004
【図４】
0005882778.tif 000005